(57)【要約】      （修正有）【課題】収縮及び展開するように変形可能な遊戯テントを提供する。【解決手段】基布１１と、一対の第１側面１２と、一対の第２側面１３と、一つの底板１４と、一対の天板１５と、一対の支持板１６とを備える。一対の第１側面１２と、一対の第２側面１３とがそれぞれ基布１１の周りに設けられており、かつ、一対の第２側面１３には一対の支持板１６をそれぞれ収容する収納袋１３１が設けられる。一対の第１側面１２と、一対の第２側面１３とを垂直に立たせて、収容空間１３２に仕上げて、ボールプール用途の遊戯器材となる。さらに、一対の天板１５を展開して接合すれば、テント目的の遊戯器材が形成され、迅速かつ利便性の高い操作方式により、使用形態を改変できるほか、素早く折り畳んで収納し、多くの収容空間の占拠を避けることができる。【選択図】図１
0003218587.tif 000002
【実用新案登録請求の範囲】
【請求項１】
収縮及び展開するように変形可能な遊戯テントであって、
基布と、一対の第１側面と、一対の第２側面と、底板と、一対の天板と、一対の支持板と、を備え、
前記基布が矩形を形成していて、かつ、それぞれ対向して設けられた一対の第１辺と、一対の第２辺とを有し、
前記一対の第１側面は、それぞれ前記一対の第１辺に連接していて、かつ、前記前記第１側面は第１弾性リング体を第１生地体の周りに巡らせて構成され、
前記一対の第２側面は、それぞれ前記一対の第２辺に連接することによって、隣接する前記第１側面と前記第２側面とをつないで収容空間を形成し、前記それぞれの第２側面に収納袋を設け、
前記底板が、収容空間の内部に位置するように前記基布の一側部に取り付けられ、その周囲がそれぞれ前記一対の第１側面と、前記一対の第２側面とに係止され、
前記一対の天板をそれぞれ前記第１側面の上縁部に連接していて、かつ、前記天板はすべて第３弾性リング体を第３生地体の周りに巡らせて構成され、前記一対の天板の対向する縁部にはそれぞれ係着部を設け、
前記一対の支持板をそれぞれ前記収納袋内部に収容して、前記一対の第１側面と、前記一対の第２側面とを垂直に立たせて置き、前記各支持板は第４弾性リング体を第４生地体の周りに巡らせて構成し、前記一対の支持板によって前記一対の第１側面と、前記一対の第２側面とを立たせてボールプールを形成し、引き続いて前記一対の天板を互いにつないでテントの態様を形成し、これに対して、前記一対の支持板の支えを外した後、前記一対の第１側面と、前記一対の第２側面とを解放して、互いに嵌め合わせて折り畳んで収納することを特徴とする、遊戯テント。
【請求項２】
前記底板は、第２弾性リング体を第２生地体の周りに巡らせて構成することを特徴とする、請求項１記載の遊戯テント。
【請求項３】
前記係着部は、面ファスナー、留め具、ファスナー及び磁気部材のうちのいずれか一つであることを特徴とする、請求項１記載の遊戯テント。
【請求項４】
前記一対の天板の２つの表面に、それぞれ第１図案層と、第２図案層とを設け、前記一対の天板が展開していないときには前記第１図案層が露出し、前記一対の天板を展開して屋根を結合したときには、前記第２図案層が露出することを特徴とする、請求項１記載の遊戯テント。
【請求項５】
前記底板の片側は、ミシン加工方式により一つの前記第１辺と互いに繋がれて一体となっていることを特徴とする、請求項１記載の遊戯テント。
【考案の詳細な説明】
【技術分野】
【０００１】
本考案は子供の遊戯器材に関し、特に収縮及び展開するように変形可能な遊戯テントに関する。迅速に組み立てて調整できる操作利便性を有しており、ボールプールまたはテントのうちいずれかの態様で使用することができ、かつ、折り畳んで収納して、収納後の体積を縮小できる。
【背景技術】
【０００２】
子供の成長期間においては、適度のスポーツがより良い成長効果を提供できる。しかし、子供の転倒事故をなくして、心配不要でしかも安全な遊び環境を提供し、子供たちに遊戯の安全性を与えて、安全に成長させることが非常に重要である。
【考案の概要】
【考案が解決しようとする課題】
【０００３】
そのために、各業者ともこのような目的に基づき、安全性の高い遊戯器材を開発している。その例として、遊戯テントハウスやボールプールなどがある。これらの遊戯器材は、携行や収納などに適した機能が備えられており、そのほとんどが高弾力スチールワイヤーと、生地からなる底部と、周縁部を縫合する生地枠構造体とを用いたものであり、さらに、かかる生地枠構造体の底部にエアクッションや布パッドなどの緩衝材を敷いて、封止区域に遊戯スペースを形成する。さらに、子供たちの注意を引きつけるため、かかる遊戯スペースの内部に玩具や小さいボールなどを備え付けて、子供たちをその空間で遊ばせる。この種の遊戯器材において高弾力スチールワイヤーを主な支持手段にしていることで、高弾力スチールワイヤーを折り畳んでより小さい体積に縮小させ、収容の利便性を図っている。しかし、こられの遊戯器材は、ミシン加工方式により生地シート材同士を継ぎ合せており、テントスタイルが５面体（５面を含まない）を超えると、収納する際に、すべての高弾力スチールワイヤーが同じエリアに集中されることから、折りたたみ収納するときの困難性が高くなり、より大きい力量を加えないと、折りたたむことができない。このほか、一部のテントはガラスファイバーによって支えられており、これらの設計によれば、組み立てと収納に時間と手間が多くかかってしまう。前述した点から、改良の必要がある。
【課題を解決するための手段】
【０００４】
そのために、本考案人は畳んで収納することと展開するように変形可能な遊戯テント構造を考案し、適宜に巧みなかつ斬新な構造を採用して、支えて立たせた後に矩形のボールプールまたは二種類のテントを実施態様として形成でき、子供に異なるより多くの遊戯が選択できるよう提供する。さらに、展開して使用するときも折り畳んで収納するときもかなり便利で、外出時の携行にも屋内での使用にも適する。
【０００５】
本考案の一目的は、収縮及び展開するように変形可能な遊戯テントを提供する。一対の第２側面にそれぞれ収納袋を設けて、一対の支持板を取り付け、周りにある一対の第１側面と、一対の第２側面とを垂直に立たせて収容空間を形成して、ボールプールに仕立てた遊戯器材となる。さらに、それぞれかかる一対の第１側面の上縁に取り付ける一対の天板を展開及び接合し、テント用途の遊戯器材に形成することができる。これにより、本考案は迅速かつ利便性の高い操作方法により、利用形態を改変できるほか、素早く折り畳んで収納できる等の効果を有する。
【０００６】
前述目的を達成するため、本考案の収縮及び展開するように変形可能な遊戯テントは、基布と、一対の第１側面と、一対の第２側面と、一つの底板と、一対の天板と、一つの支持板と、を備える。基布が矩形を形成していて、それぞれ対向して設けられた一対の第１辺と、一対の第２辺とを有する。一対の第１側面がそれぞれ一対の第１辺に連接していて、かつ、各第１側面は、第１弾性リング体を第１生地体の周りに巡らせて構成される。第２側面がそれぞれ一対の第２辺に連接することによって、隣接する第１側面と、第２側面とが繋ぎ合わされて収容空間が形成され、それぞれの第２側面には収納袋が設けられている。底板を基布の一側部に取り付けて収容空間内部に位置させ、底板の周囲がそれぞれ一対の第１側面と、一対の第２側面とに係止される。一対の天板をそれぞれ一対の第１側面の上縁部に連接し、それぞれの天板は第３弾性リング体を第３生地体の周りに巡らせて構成され、一対の天板の対向側の縁部に、それぞれ係着部を設ける。一対の支持板をそれぞれ収納袋内部に取り付けて、一対の第１側面と、一対の第２側面とを垂直に立たせる。各支持板とも第４弾性リング体を第４生地体の周りに巡らせて構成される。これにより、一対の支持板によって、一対の第１側面と、一対の第２側面とを垂直に立たせて、ボールプールを形成し、引き続き一対の天板を互いに接合してテントの態様を形成する。これに対して、一対の支持板の支えを外した後、一対の第１側面と一対の第２側面とを解放すると、互いに嵌め合わせて折り畳んで収納することができる。
【０００７】
一実施例において、底板は第２弾性リング体を第２生地体の周りに巡らせて構成し、折り畳んで収納できる。係着部は面ファスナー、留め具、ファスナー及び磁気部材のうちいずれかの一つを選択し、面着、締結、ファスナー固定、磁気固定などの方式によって繋ぎ合わせて、繰り返して取り外し使用可能とする。さらに、一対の天板の２つの表面に、それぞれ第１図案層と、第２図案層とを設け、一対の天板が展開されていないときには第１図案層を露出し、そして、一対の天板を展開して屋根部に結合したときには第２図案層を露出するなど、使用態様によって、様々な態様が形成される。このほか、一対の天板の周りに装飾部を周設し、かつ、装飾部が波状生地構造を形成する。さらに、少なくとも一つの第１側面に幼児が遊ぶときの出入り口とする第１開口部が設けられる。
【０００８】
さらに、本考案の底板の片側は、ミシン加工方式により一つの第１辺と一体に結合されており、めくり上げたりまたは引き下ろしたりなどの操作が便利に行えるほか、収納するときに別の場所に収納する必要がないことから、部品紛失の心配はない。
【図面の簡単な説明】
【０００９】
【図１】本考案の好ましい実施例に係る構造を示す図である。
【図２】本考案の好ましい実施例の展開操作を示す図である（その１）。
【図３】本考案の好ましい実施例の展開操作を示す図である（その２）。
【図４】本考案の好ましい実施例の展開操作を示す図である（その３）。
【図５】本考案の好ましい実施例における収納操作を示す図である。
【考案を実施するための形態】
【００１０】
審査官の方々の本考案内容のさらなる理解を図るため、以下に本考案の実施形態を図面を参照しながら説明する。
【実施例】
【００１１】
図１の本考案の好ましい実施例の構造を示す図と、図２ないし図５の各種の操作態様図を参照する。図に示すように、本考案の収縮及び展開するように変形可能な遊戯テントは、基布１１と、一対の第１側面１２と、一対の第２側面１３と、一つの底板１４と、一対の天板１５と、一対の支持板１６とを含む。
【００１２】
そのうち、基布１１は矩形を形成していて、かつ、基布１１は、それぞれ対向して設けられた一対の第１辺１１１と、一対の第２辺１１２とを含む。
【００１３】
第１側面１２をそれぞれ第１辺１１１に連接することによって、２つの第１側面１２が対となる。第１側面１２は第１弾性リング体１２１を第１生地体１２２の周りに巡らせて構成される。注意すべきところは、本考案では子供が遊戯するときの出入り口として、そのうち１つの第１側面１２に第１開口部１２３が設けられている。
【００１４】
第２側面１３も同じくそれぞれ第２辺１１２に連接することによって、２つの第２側面１３が対となり、隣接する第１側面１２と、第２側面１３とが繋がれて矩形の収容空間１３２を形成し、第２側面１２は２層の生地をミシン加工方式によって加工して、それぞれ一つの収納袋１３１が形成される。
【００１５】
底板１４は基布１１の形状に対応した平板状構造体であり、第２弾性リング体１４１を第２生地体１４２の周りに巡らせて構成し、基布１１の一側部に取り付けて、収容空間１３２の内部に位置される。底板１４４の４つの縁部がそれぞれ一対の第１側面１２と、一対の第２側面１３とに係止され、収容空間１３２の底部形状を画定する。注意すべきところは、図１に示すように、底板１４の分離した設計は、組み立てと収納の利便性向上を図るものである。底板１４の片側がミシン加工方式によって、１つの第１辺１１１と一体に連結され、めくり上げたり引き下ろしたりなど操作ができるほか、収納する際も別途に収納する必要がなく、部品紛失の心配はない。
【００１６】
一対の天板１５がそれぞれ一対の第１側面１２の上縁部に連接されている。注意すべきところは、一対の天板１５は例えば、ミシン加工方式またはその他の可動な接続方式（面ファスナー、留め具、ファスナー及び磁気部材のうち１つの方式）によって接続できる。さらに、それぞれの天板１５は、第３弾性リング体１５１を第３生地体１５２の周りに巡らせて構成される。一対の天板１５のもう一つの側面は可動の対向縁部に、それぞれ係着部１５３を設ける。係着部１５３は例えば、面ファスナー、留め具、ファスナー及び磁気部材のうちのいずれかを選択し、面着、締結、ファスナー固定または磁気固定などの方式によって接続される。２つの天板１５を接合した後に、頂上が尖ったスタイルの屋根が形成される。考案者は製品の装飾効果を明確にすべく、一対の天板１５の２つの表面に、それぞれ第１図案層１５４と、第２図案層１５５とを設けるほか、一対の天板１５の周りに装飾部１５６を巡らせて設ける。装飾部１５６は波状の生地構造によって形成される。特にレースまたは通気性生地などを使用するなど、使用態様に合わせて、様々な視覚効果を形成できる。
【００１７】
支持板１６をそれぞれ収納袋１３１に取り付けて、一対の第１側面１２と、一対の第２側面１３とを垂直に立たせ、支持板１６は第４弾性リング体１６１を第４生地体１６２の周りに巡らせて構成される。
【００１８】
図２に示すように、本考案の収縮及び展開するように変形可能な遊戯テント１を操作する際は、まず、一対の第１側面１２を垂直に立たせた後、一対の支持板１６をそれぞれ第２側面１３の収納袋１３１に取り付けて、一対の支持板１６によって、一対の第１側面１２と、一対の第２側面１３とを垂直に立たせて矩形のボールプールを形成し、玩具またはボールをその内部に入れて遊ばせる。さらに、一対の天板１５が上向きに捲りあげられるまでは、それぞれ一対の第１側面１２の外部に貼り合わせることによって、第１図案層１５４を露出させる。図２に示すように、第１図案層１５４も合わせて車の側面の図案になるよう設計されており、外観から車のようなスタイルを形成させる。引き続き、図３に示すように、一対の天板１５を上向きに捲りあげて展開し、互いに接合して屋根をテント態様に形成し、第２図案層１５５を露出させる。さらに、一対の第１側面の外側も合わせて車の側面の図案に設計する。第２図案層１５５には例えば屋根レンガのような図案を設計し、一対の第２側面１３を透視性生地部材によって仕上げる。よって、一対の支持板１６の２つの面もそれぞれ第１図案層１５４と、第２図案層１５５とに合わせて、異なる図案の設計ができる。利用者は必要に応じて、一対の支持板１６の展示表面を捲ることができる。最後は図４に示すように、一対の支持板１６の支えを取り外すことによって、一対の第１側面１２と、一対の第２側面１３とを解放して、一対の第１側面１２と、一対の天板１５とを互いに嵌め合わせて折り畳んで収納し、底板１４と、一対の支持板１６とを別々に折り畳んで収納することで、折りたたむときの労力を大幅に軽減し、収納に便利となる。
【符号の説明】
【００１９】
１      遊戯テント
１１    基布
１１１  第１辺
１１２  第２辺
１２    第１側面
１２１  第１弾性リング体
１２２  第１生地体
１２３  第１開口部
１３    第２側面
１３１  収納袋
１３２  収容空間
１４    底板
１４１  第２弾性リング体
１４２  第２生地体
１５    天板
１５１  第３弾性リング体
１５２  第３生地体
１５３  係着部
１５４  第１図案層
１５５  第２図案層
１５６  装飾部
１６    支持板
１６１  第４弾性リング体
１６２  第４生地体
【図１】
0003218587.tif 000003
【図２】
0003218587.tif 000004
【図３】
0003218587.tif 000005
【図４】
0003218587.tif 000006
【図５】
0003218587.tif 000007